(57)【要約】【課題】空気を供給するためのブロワにかかる余分な負荷がなく、簡単な構造で酸素溶解効率が高く、且つメンテナンスが容易な散気装置を提供する。【解決手段】空気供給手段２２から空気Ａｉｒが供給されると、その空気が気泡となって、充填ケース２０の底板１４の、気泡の流通路１８を介して充填ケース２０内へと進入する。そして、充填ケース２０に充填された気泡の微細化手段１２を構成する、幹部から環状枝部が分岐した樹状構造を有する紐状体によって、気泡の更なる浮上が妨害される。しかも、幹部が環状枝部よりも大径をなしており、大径をなす幹部によって、気泡の浮上阻害手段が構成され、充填ケース２０内での気泡の浮上を妨げて充填ケース２０内の滞留時間を延ばすこととなる。又、小径をなす環状枝部によって、気泡の微細化手段が構成され、充填ケース２０内での気泡の浮上に伴い気泡を分断することが可能となる。【選択図】図１
2015112581.tif 000002
【特許請求の範囲】
【請求項１】
少なくとも底板と上蓋とに気泡の流通路が確保され、気泡の微細化手段が充填された充填ケースと、前記充填ケースに対し下方から空気を供給する空気供給手段とが、ばっ気水槽内に設置され、
前記気泡の微細化手段は、幹部から枝部が分岐した樹状構造を有する紐状体であり、前記幹部及び枝部のいずれか一方が他方よりも大径をなし、該大径をなす部分によって前記充填ケース内での気泡の浮上を妨げて充填ケース内の滞留時間を延ばす、気泡の浮上阻害手段が構成され、他方の小径をなす部分によって、前記充填ケース内での気泡の浮上に伴い気泡を分断する気泡の微細化手段が構成されていることを特徴とする散気装置。
【請求項２】
前記気泡の微細化手段は、幹部と該幹部よりも細径に構成され該幹部から分岐する複数の環状枝部とを含み、少なくとも前記幹部が前記充填ケースの上下方向と交差する方向に向くようにして、前記充填ケースに充填されていることを特徴とする請求項１記載の散気装置。
【請求項３】
前記気泡の微細化手段の環状枝部には、複数のフィラメント糸同士が結束し、かつ、かさ高加工されてなるものが含まれることを特徴とする請求項２項記載の散気装置。
【請求項４】
前記気泡の微細化手段の幹部は組紐構造を有し、前記環状枝部は、前記組紐構造を構成する右回り、左回りの糸のうちいずれか一方の糸によって構成されていることを特徴とする請求項２又は３記載の散気装置。
【請求項５】
前記組紐構造を構成する糸には太さの異なる少なくとも二種類の糸が用いられ、前記環状枝部の各々が、前記太さの異なる糸のうちの一種類の太さの糸によって構成されていることを特徴とする請求項４記載の散気装置。
【請求項６】
前記環状枝部は、前記幹部の延長方向と交差する方向に対を成して突出していることを特徴とする請求項１から５のいずれか１項記載の散気装置。
【請求項７】
前記幹部が捩れて、前記複数の環状枝部が、前記幹部の延長方向に沿って、らせん状に並ぶように構成されていることを特徴とする請求項１から６のいずれか１項記載の散気装置。
【請求項８】
前記気泡の微細化手段の幹部が、前記充填ケースの上下方向に積層されて、前記気泡の微細化手段が前記充填ケース内で所定のかさ密度を有していることを特徴とする請求項１から７のいずれか１項記載の散気装置。
【請求項９】
前記気泡の微細化手段の幹部が、前記充填ケースの内部において、渦巻状に外から中心へ、及び／又は、中心から渦巻状に外へと配置されることを繰り返すようにして、積層されていることを特徴とする請求項８記載の散気装置。
【請求項１０】
少なくとも底板と上蓋とに気泡の流通路が確保された充填ケース内に、幹部から枝部が分岐した樹状構造を有する紐状体を充填し、前記幹部及び枝部の一方を他方よりも大径に構成し、大径をなす部分によって前記充填ケース内での気泡の浮上を妨げて充填ケース内の滞留時間を延ばす、気泡の浮上阻害手段を構成し、他方の小径をなす部分によって、前記充填ケース内での気泡の浮上に伴い気泡を分断する気泡の微細化手段を構成して、前記充填ケースと、前記充填ケースに対し下方から空気を供給する空気供給手段とを、ばっ気水槽内に設置し、前記空気供給手段から前記ばっ気水槽に溜められた液中に空気を噴出させることを特徴とする散気方法。
【請求項１１】
前記気泡の微細化手段は、幹部と該幹部よりも細径に構成され該幹部から分岐する複数の環状枝部とを含み、少なくとも前記幹部が前記充填ケースの上下方向と交差する方向に向くようにして、前記充填ケースに充填することを特徴とする請求項１０記載の散気方法。
【請求項１２】
前記気泡の微細化手段の環状枝部には、複数のフィラメント糸同士が結束し、かつ、かさ高加工されたものを含むことを特徴とする請求項１１記載の散気方法。
【請求項１３】
前記気泡の微細化手段の幹部を組紐構造とし、前記環状枝部を、前記組紐構造を構成する右回り、左回りの糸のうちいずれか一方の糸によって構成することを特徴とする請求項１１又は１２記載の散気方法。
【請求項１４】
前記組紐構造を構成する糸には太さの異なる少なくとも二種類の糸を用い、前記環状枝部の各々を、前記太さの異なる糸のうちの一種類の太さの糸によって構成することを特徴とする請求項１３記載の散気方法。
【請求項１５】
前記環状枝部を、前記幹部の延長方向と交差する方向に対を成すように突出させることを特徴とする請求項１０から１４のいずれか１項記載の散気方法。
【請求項１６】
前記幹部を捩り、前記複数の環状枝部が、前記幹部の延長方向に沿って、らせん状に並ぶように構成することを特徴とする請求項１０から１５のいずれか１項記載の散気方法。
【請求項１７】
前記気泡の微細化手段が前記充填ケース内で所定のかさ密度を有するように、前記気泡の微細化手段の幹部を、前記充填ケースの上下方向に積層することを特徴とする請求項１０から１６のいずれか１項記載の散気方法。
【請求項１８】
前記気泡の微細化手段の幹部が、前記充填ケースの内部において、渦巻状に外から中心へ、及び／又は、中心から渦巻状に外へと配置されることを繰り返すようにして、積層することを特徴とする請求項１７記載の散気方法。
【発明の詳細な説明】
【技術分野】
【０００１】
本発明は、散気装置及び散気方法に関するものである。
【背景技術】
【０００２】
活性汚泥処理等で使用される散気装置は、ばっ気水槽に貯留された活性汚泥中に空気を供給するものであり、これまでにも多種類のものが開発、実用化され、それぞれ空気中の酸素が水に効率良く溶解するための工夫が凝らされている。それらの種類を大別すると微細気泡式と機械式に分けることができる。
微細気泡式散気装置の場合は、ブロワから活性汚泥装置へ供給される空気を、微細気泡式散気装置で気泡径を小さくし気泡の表面積を大きくして、空気中の酸素が水に効率良く溶解するようにしたものがある（例えば、特許文献１、２）。又、機械式散気装置の場合は、微細気泡式散気装置の代わりにモータを擁する機械で大きな気泡を微粉砕し、同様に空気中の酸素が水に効率良く溶解するようにしたものもある（例えば、特許文献３、４）。
【先行技術文献】
【特許文献】
【０００３】
【特許文献１】特開２００３−２４９７４号公報
【特許文献２】特開２０１０−５１８５４号公報
【特許文献３】特開２０００−３０１１８８号公報
【特許文献４】特開２００３−５３３７１号公報
【発明の概要】
【発明が解決しようとする課題】
【０００４】
しかしながら、上記のような従来型の散気装置のうち、微細気泡式散気装置では微細孔を設けるための特殊加工が必要で部材が高価になること、又気泡が微細孔を通過する際の圧力損失が大きく、空気を供給するためのブロワ動力が大きくなる欠点があった。又、機械式散気装置では、機械が大きく装置が高価で、かつ大きな気泡を微粉砕するためのモータ動力が大きくなる欠点があった。更に、両方式とも部材破損等の事故や定期的なメンテナンスには、ばっ気水槽の水を抜く、あるいは重機で吊り上げなければならない等の煩わしさがあった。
本発明は上記課題に鑑みてなされたものであり、その目的とするところは、空気を供給するためのブロワにかかる余分な負荷がなく、簡単な構造で酸素溶解効率が高く、且つメンテナンスが容易な散気装置を提供することにある。
【０００５】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００６】
（１）少なくとも底板と上蓋とに気泡の流通路が確保され、気泡の微細化手段が充填された充填ケースと、前記充填ケースに対し下方から空気を供給する空気供給手段とが、ばっ気水槽内に設置され、前記気泡の微細化手段は、幹部から枝部が分岐した樹状構造を有する紐状体であり、前記幹部及び枝部のいずれか一方が他方よりも大径をなし、該大径をなす部分によって前記充填ケース内での気泡の浮上を妨げて充填ケース内の滞留時間を延ばす、気泡の浮上阻害手段が構成され、他方の小径をなす部分によって、前記充填ケース内での気泡の浮上に伴い気泡を分断する気泡の微細化手段が構成されている散気装置。（請求項１）。
【０００７】
本項に記載の散気装置は、ばっ気水槽に溜められた液中に、空気供給手段から空気が供給されると、その空気が気泡となって、充填ケースの底板の、気泡の流通路を介して充填ケース内へと進入する。そして、充填ケースに充填された気泡の微細化手段を構成する、幹部から枝部が分岐した樹状構造を有する紐状体によって、気泡の更なる浮上が妨害される。幹部及び枝部のいずれか一方が他方よりも大径をなしており、大径をなす部分によって、気泡の浮上阻害手段が構成され、充填ケース内での気泡の浮上を妨げて充填ケース内の滞留時間を延ばすこととなる。又、他方の小径をなす部分によって、気泡の微細化手段が構成され、充填ケース内での気泡の浮上に伴い気泡を分断するものである。
【０００８】
（２）上記（１）項において、前記気泡の微細化手段は、幹部と該幹部よりも細径に構成され該幹部から分岐する複数の環状枝部とを含み、少なくとも前記幹部が前記充填ケースの上下方向と交差する方向に向くようにして、前記充填ケースに充填されている散気装置（請求項２）。
【０００９】
本項に記載の散気装置は、ばっ気水槽に溜められた液中に、空気供給手段から空気が供給されると、その空気が気泡となって、充填ケースの底板の、気泡の流通路を介して充填ケース内へと進入する。そして、充填ケースに充填された気泡の微細化手段を構成する紐状体の、幹部と、該幹部よりも細径に構成され該幹部から分岐する複数の環状枝部とによって、気泡の更なる浮上が妨害される。特に、充填ケースの上下方向と交差する方向に向けて充填された幹部によって、気泡の浮上が妨げられることで、気泡は、幹部を避けるように蛇行する浮上経路を辿り、充填ケース内の滞留時間が長くなることとなる。この際、環状枝部によっても気泡の浮上が妨げられるが、環状枝部は幹部よりも細径に構成されているが故に、環状枝部の直径と同等かそれ以上の大きさの気泡は、環状枝部により分断されて微細化されることとなる。しかも、幹部に対して環状枝部が環状に分岐し、突出していることにより、気泡が浮上する際に、環状に連続する環状枝部のいずれかの部位で、気泡は上述の分断作用を受け、気泡の微細化が促進されるものである。
【００１０】
（３）上記（２）項において、前記気泡の微細化手段の環状枝部には、複数のフィラメント糸同士が結束し、かつ、かさ高加工されてなるものが含まれる散気装置（請求項３）。
本項に記載の散気装置は、複数のフィラメント糸同士が結束し、かつ、かさ高加工された環状枝部の各部において、気泡の浮上経路の蛇行作用と、環状枝部による気泡の分断作用とが得られるものとなる。
なお、採用される「かさ高加工」としては、例えば、タスラン加工やバルキ加工が挙げられる。
【００１１】
（４）上記（２）又は（３）項において、前記気泡の微細化手段の幹部は組紐構造を有し、前記環状枝部は、前記組紐構造を構成する右回り、左回りの糸のうちいずれか一方の糸によって構成されている散気装置（請求項４）。
本項に記載の散気装置は、気泡の微細化手段の組紐構造を有する幹部によって、気泡の浮上経路の蛇行作用が得られるものである。又、組紐構造を構成する右回り、左回りの糸のうちいずれか一方の糸によって構成された環状枝部によって、気泡の分断作用が得られるものとなる。又、本項に係る気泡の微細化手段は、幹部と環状枝部とが、組紐構造を構成する際に、一連の工程で一体的に構成されるものとなる。
【００１２】
（５）上記（４）項において、前記組紐構造を構成する糸には太さの異なる少なくとも二種類の糸が用いられ、前記環状枝部の各々が、前記太さの異なる糸のうちの一種類の太さの糸によって構成されている散気装置（請求項５）。
本項に記載の散気装置は、組紐構造を構成する糸には太さの異なる少なくとも二種類の糸が用いられることで、単位長さあたりのかさ密度の最適化が図られるものである。すなわち、組紐構造を構成する糸に太い糸と細い糸とが混合して用いられることで、細い糸によるかさ密度を下げることが可能となり、太い糸と細い糸との割合によっても、かさ密度の調整を行うものである。又、上記（５）項のごとく、環状枝部は、組紐構造を構成する右回り、左回りの糸のうちいずれか一方の糸によって構成されていることから、環状枝部の各々は、太さの異なる糸のうちの一種類の太さの糸によって構成され、各々の太さに応じた、気泡の浮上経路の蛇行促進機能と、微細化促進機能とを発揮するものとなる。即ち、環状枝部が太いものほど、気泡の浮上経路の蛇行促進機能が高まり、環状枝部が細いものほど、気泡の微細化促進機能が高まるものとなる。
【００１３】
（６）上記（１）から（５）項において、前記環状枝部は、前記幹部の延長方向と交差する方向に対を成して突出している散気装置（請求項６）。
本項に記載の散気装置は、環状枝部が、幹部の延長方向と交差する方向に対を成して突出することで、環状枝部の各々による、気泡の浮上経路の蛇行促進機能と、微細化促進機能とを発揮するものとなる。
（７）上記（１）から（６）項において、前記幹部が捩れて、前記複数の環状枝部が、前記幹部の延長方向に沿って、らせん状に並ぶように構成されている散気装置（請求項７）。
本項に記載の散気装置は、幹部が捩れて、複数の環状枝部が、幹部の延長方向に沿ってらせん状に並ぶように構成されていることで、幹部を中心に様々な方向に分岐する環状枝部により、浮上しようとする気泡を捉え、気泡の浮上経路の蛇行促進機能と、微細化促進機能とを発揮するものとなる。
【００１４】
（８）上記（１）から（７）項において、前記気泡の微細化手段の幹部が、前記充填ケースの上下方向に積層されて、前記気泡の微細化手段が前記充填ケース内で所定のかさ密度を有している散気装置（請求項８）。
本項に記載の散気装置は、気泡の微細化手段の幹部が、充填ケースの上下方向に積層され、充填ケース内で気泡の微細化手段が所定のかさ密度を有していることにより、充填ケースの底板の気泡の流通路を介して充填ケース内へと進入する気泡は、気泡の微細化手段によって更なる浮上が妨害される。そして、幹部を避けるように蛇行する気泡の浮上経路の蛇行促進と、環状枝部による微細化促進とが適切になされ、水中への酸素溶解効率を高めるものとなる。なお、上記機能を発揮する上で好ましい、充填ケースにおける気泡の微細化手段のかさ密度の数値範囲は、本発明者らの鋭意研究の結果、１０ｋｇ／ｍ３〜２０ｋｇ／ｍ３とすることが望ましい。
【００１５】
（９）上記（８）項において、前記気泡の微細化手段の幹部が、前記充填ケースの内部において、渦巻状に外から中心へ、及び／又は、中心から渦巻状に外へと配置されることを繰り返すようにして、積層されている散気装置（請求項９）。
本項に記載の散気装置は、気泡の微細化手段の幹部が、充填ケースの内部において、渦巻状に外から中心へ、及び／又は、中心から渦巻状に外へと配置されることを繰り返すようにして、積層されていることで、充填ケースの室内が気泡の微細化手段によって満たされる。そして、底板と上蓋との間の全体で、幹部による気泡の浮上経路の蛇行作用と、環状枝部による気泡の分断作用が得られるものとなる。なお、充填ケース内に積層される気泡の微細化手段の幹部が連続して全体として一本からなるものであっても良く、適宜分断された複数の幹部が、積層されたものであっても良い。
又、気泡の微細化手段の積層構造としては、本項に挙げられたものの他にも、充填ケースの中心部から花弁状に幹部が並べられるものや、充填ケースの上下方向と直交する方向に直線状に往復するようにして、幹部が並べられるもの等、様々な構造が適宜採用されるものである。
【００１６】
（１０）上記（１）から（９）項において、前記充填ケースにおける前記気泡の微細化手段の充填高さが、５００ｍｍである散気装置。
本項に記載の散気装置は、充填ケースにおける気泡の微細化手段の充填高さとして、５００ｍｍが確保されることで、充填ケースの底板の気泡の流通路を介して充填ケース内へと進入する気泡が、気泡の微細化手段によって更なる浮上が妨害され、幹部を避けるように蛇行する気泡の浮上経路の蛇行促進と、環状枝部による微細化促進とが十分になされ、水中への酸素溶解効率を高めるものとなる。
【００１７】
（１１）上記（１）から（１０）項において、前記充填ケースの底板と上蓋とが、開口付き板により構成されている散気装置。
本項に記載の散気装置は、開口付き板により構成された底板により、気泡の微細化手段が充填ケース内にて下支えされるものである。そして、底板の開口が気泡の流通路となって、気泡の充填ケース内への進入を許容するものである。一方、開口付き板により構成された上蓋により、充填ケース内の気泡の微細化手段が気泡と共に浮上し、充填ケースから脱落することを防ぐものである。又、上蓋の開口が気泡の流通路となって、ばっ気水槽の液中へと、微細化された気泡を散気するものである。
【００１８】
（１２）上記（１１）項において、前記充填ケースの底板と上蓋とが、前記充填ケースに対し着脱自在に構成され、前記底板に吊ワイヤーが固定されかつ前記上蓋に前記吊ワイヤーが挿通ないし固定され、前記吊ワイヤーの上端部が前記ばっ気水槽の液面上に留められている散気装置。
本項に記載の散気装置は、上端部がばっ気水槽の液面上に留められている吊ワイヤーを引き上げることで、充填ケースに対し着脱自在に構成された底板及び上蓋と共に、底板及び上蓋に挟持された状態の気泡の微細化手段をばっ気水槽内の充填ケースから引き上げるものである。又、気中から、気泡の微細化手段を底板及び上蓋に挟持した状態で吊ワイヤーを適宜緩めて、ばっ気水槽内の充填ケースに、底板及び上蓋と共に気泡の微細化手段をセットするものである。
【００１９】
（１３）上記（１２）項において、前記ばっ気水槽には、前記気泡の微細化手段が前記底板と前記上蓋とに挟持された状態で、これらを前記ワイヤーによって一体に昇降させるための、上下方向に延びるガイドレールが設けられている散気装置。
本項に記載の散気装置は、吊ワイヤーにより、底板と上蓋とに挟持された状態の気泡の微細化手段を充填ケースから引き上げ、又は、充填ケースにセットする際に、ばっ気水槽に設けられた、上下方向に延びるガイドレールにより、底板、上蓋及び気泡の微細化手段の昇降ガイドがなされるものである。特に、充填ケースにセットする際には、ばっ気水槽の液中に設置された充填ケースに対する位置決めが確実になされることとなる。
【００２０】
（１４）上記（１）から（１３）項において、前記空気供給手段は、前記ばっ気水槽の底面と前記充填ケースとに設けられた空間部に向けて開口する空気配管を備える散気装置。
本項に記載の散気装置は、空気供給手段の、ばっ気水槽の底面と充填ケースとに設けられた空間部に向けて開口する空気配管から液中へと空気を噴出させることで、充填ケースに対し下方から空気を供給するものである。
【００２１】
（１５）上記（１４）項において、前記空気配管は、前記ばっ気水槽の液面上方から底面に沿って延びる主配管と、該主配管から複数点で分岐する分岐配管とを含み、該分岐配管の先端が開口している散気装置。
本項に記載の散気装置は、空気配管が、ばっ気水槽の液面上方から底面に沿って延びる主配管から、先端が開口する分岐配管が複数点で分岐することにより、主配管に沿って分岐する各分岐配管の先端から液中へと空気を噴出させることで、主配管に沿った広範囲にわたり、充填ケースに対し下方から空気を供給するものである。しかも、分岐配管の先端の開口がそのまま空気の噴出口となっているので、目詰まりし難く、無駄な圧力損失も生じない。又、主配管から直接空気を噴出させるのではなく分岐配管を介することで、主配管の基端寄りと先端寄りとでの空気の噴出量の偏りを防ぐものである。
【００２２】
（１６）少なくとも底板と上蓋とに気泡の流通路が確保された充填ケース内に、幹部から枝部が分岐した樹状構造を有する紐状体を充填し、前記幹部及び枝部の一方を他方よりも大径に構成し、大径をなす部分によって前記充填ケース内での気泡の浮上を妨げて充填ケース内の滞留時間を延ばす、気泡の浮上阻害手段を構成し、他方の小径をなす部分によって、前記充填ケース内での気泡の浮上に伴い気泡を分断する気泡の微細化手段を構成して、前記充填ケースと、前記充填ケースに対し下方から空気を供給する空気供給手段とを、ばっ気水槽内に設置し、前記空気供給手段から前記ばっ気水槽に溜められた液中に空気を噴出させる散気方法（請求項１０）。
（１７）上記（１６）項において、前記気泡の微細化手段は、幹部と該幹部よりも細径に構成され該幹部から分岐する複数の環状枝部とを含み、少なくとも前記幹部が前記充填ケースの上下方向と交差する方向に向くようにして、前記充填ケースに充填する散気方法（請求項１１）。
（１８）上記（１７）項において、前記気泡の微細化手段の環状枝部には、複数のフィラメント糸同士が結束し、かつ、かさ高加工されたものを含む散気方法（請求項１２）。
【００２３】
（１９）上記（１７）（１８）項において、前記気泡の微細化手段の幹部を組紐構造とし、前記環状枝部を、前記組紐構造を構成する右回り、左回りの糸のうちいずれか一方の糸によって構成する散気方法（請求項１３）。
（２０）上記（１９）項において、前記組紐構造を構成する糸には太さの異なる少なくとも二種類の糸を用い、前記環状枝部の各々を、前記太さの異なる糸のうちの一種類の太さの糸によって構成する散気方法（請求項１４）。
（２１）上記（１６）から（２０）項において、前記環状枝部を、前記幹部の延長方向と交差する方向に対を成すように突出させる散気方法（請求項１５）。
（２２）上記（１６）から（２１）項において、前記幹部を捩り、前記複数の環状枝部が、前記幹部の延長方向に沿って、らせん状に並ぶように構成することを特徴とする請求項１０から１５のいずれか１項記載の散気方法（請求項１６）。
【００２４】
（２３）上記（１６）から（２２）項において、前記気泡の微細化手段が前記充填ケース内で所定のかさ密度を有するように、前記気泡の微細化手段の幹部を、前記充填ケースの上下方向に積層する散気方法（請求項１７）。
（２４）上記（２３）項において、前記気泡の微細化手段の幹部が、前記充填ケースの内部において、渦巻状に外から中心へ、及び／又は、中心から渦巻状に外へと配置されることを繰り返すようにして、積層する散気方法。
そして、上記（１６）から（２４）項記載の散気方法は、上記（１）から（９）項記載の散気装置によって実行されることで、上記（１）から（９）項記載の散気装置と同様の作用が得られるものである。
【発明の効果】
【００２５】
本発明はこのように構成したので、空気を供給するためのブロワにかかる余分な負荷がなく、簡単な構造で酸素溶解効率が高く、且つメンテナンスが容易な散気装置を提供することができる。
【図面の簡単な説明】
【００２６】
【図１】本発明の実施の形態に係る散気装置の構成を示す斜視図（部分透視図）である。
【図２】本発明の実施の形態に係る散気装置の、気泡の微細化手段を模式的に示したものであり、（ａ）は断面図、（ｂ）は側面図である。
【図３】本発明の実施の形態に係る散気装置の、気泡の微細化手段の具体例を示す斜視図である。
【図４】図１の例におけるばっ気装置を備えるばっ気水槽の、具体的設置態様を示す模式図である。
【図５】本発明の実施の形態に係る散気装置を備える、角型ばっ気水槽を示す斜視図（部分透視図）である。
【図６】図５の角型ばっ気水槽に採用される空気配管を示す斜視図である。
【図７】図４の例における酸素溶解効率を示す図表である。
【発明を実施するための形態】
【００２７】
以下、本発明を実施するための最良の形態を添付図面に基づいて説明する。なお、従来技術と同一部分若しくは相当する部分については同一符号で示し、詳しい説明を省略する。
本発明の実施の形態に係る散気装置１０は、図１にその主要構成が概略的に示されているように、気泡の微細化手段１２と、底板１４と上蓋１６とに気泡の流通路１８が確保され、気泡の微細化手段１２が充填される充填ケース２０と、充填ケース２０に対し下方から空気Ａｉｒを供給する空気供給手段２２とが、ばっ気水槽４０内に設置された構成を有するものである。
【００２８】
気泡の微細化手段１２は、図２に概略的に示されるように、幹部１２２から枝部１２４が分岐した樹状構造を有する紐状体である。より具体的には、幹部１２２と、幹部１２２よりも細径に構成され幹部１２２から分岐する複数の環状枝部１２４と、を含むものである。図示の例では、幹部１２２は組紐構造を有しており、環状枝部１２４は、組紐構造を構成する右回り、左回りの糸のうちいずれか一方の糸によって構成されているが、適宜、他の構造を採用することとしても良い。又、図示の例では、組紐構造を構成する糸には太さの異なる二種類の糸が用いられ、環状枝部１２４の各々が、太さの異なる糸のうちの一種類の太さの糸によって構成されている。図２の例では、気泡の微細化手段１２は、幹部１２２は２本の太い糸と４本の細い糸とによって組紐構造が構成されている。そして、符号１２４Ａで示される環状枝部は、太い糸によって構成されており、符号１２４Ｂで示される環状枝部は、４本の細い糸によって構成されている。
【００２９】
ここで、太い糸で構成された環状枝部１２４Ａは、ポリプロピレン、金属類、ポリエチレン、ポリウレタン、ポリエステル、ポリスチレン、塩化ビニール、フッ素樹脂、ポリカーボネート、ポリアセタール、ＡＢＳ等からなるフィラメント糸により構成されている。又、後述する理由から、環状枝部１２４Ａを構成する太い糸には、水よりも比重の軽い材料を選択する場合もある。そして、フィラメント糸が複数結束し、かつ、かさ高加工されたものである。具体的には、芯糸に対して複数の浮糸が絡みつくように、タスラン加工によって結束されたものや、芯糸が存在せず複数の浮糸がバルキ加工（懸縮加工）によって結束されたもの等が用いられる。又、用いられるフィラメント糸の直径は１０μｍ〜５０μｍであり、複数のフィラメント糸が結束して、直径２〜４ｍｍ程度の糸が構成される。
一方、細い糸によって構成された環状枝部１２４Ｂは、直径０．２ｍｍ〜０．５ｍｍ程度のビニロン糸、ポリプロピレン糸、ナイロン糸等が用いられている。
【００３０】
又、環状枝部１２４は、図２（ｂ）に示されるように、幹部１２２の延長方向と交差する方向に対を成して突出している。そして、太い糸によって構成された環状枝部１２４Ａと、４本の細い糸によって構成された環状枝部１２４Ｂとが、間隔を空けて幹部１２２の延長方向に交互に配置されている。環状枝部１２４Ａ、１２４Ｂのピッチは一定であることが望ましいが、必要に応じ、結束ピッチを変えることも可能である。
図２（ｂ）に示される例では、幹部１２２の延長方向に隣接する環状枝部１２４Ａのピッチが７〜１０ｍｍ程度であり、それらの間に適切な間隔を空けて、環状枝部１２４Ｂが配置されている。
【００３１】
更に、幹部１２２が捩れることによって、複数の環状枝部１２４が、幹部１２２の延長方向に沿って、らせん状に並ぶように構成されることで、気泡の微細化手段１２は、図３に示されるような外観を呈している。なお、幹部１２２の捩れは、組紐構造を構成する際に、意図的に捩れを与えることで実現することが可能である。
なお、図２（ａ）の例では、環状枝部１２４Ａ、１２４Ｂは、水滴状を成すようにして、幹部１２２から放射状に突出し、気泡の微細化手段１２は全体として、例えば１００ｍｍ程度の直径となっている。又、環状枝部１２４Ａ、１２４Ｂの間隔は、幹部１２２から分岐する部分が狭く、半径方向外側ほど広くなっており、気泡の微細化手段１２の半径方向中間位置で、例えば１〜２ｍｍ程度となるように構成されている。又、図２（ｂ）、図３は気泡の微細化手段１２を部分的に示したものであるが、実際に用いる気泡の微細化手段１２は、数１０ｍ〜数１００ｍの長さとなっている。
【００３２】
このような構造を有する気泡の微細化手段１２は、図１に示される充填ケース２０の上下方向と交差する方向に向けて充填されている。図１の例では、気泡の微細化手段１２の充填方法として、円筒状の充填ケース２０の内部に、幹部１２２が渦巻状に外から中心へ、又、中心から渦巻状に外へと交互に繰り返すようにして、積層する手法を採用している。このようにして積層された気泡の微細化手段１２の、充填ケース２０におけるかさ密度は、本発明者らの鋭意研究の結果、１０ｋｇ／ｍ３〜２０ｋｇ／ｍ３に調整されることが望ましい。
【００３３】
充填ケース２０は、ばっ気層２２に対して適切な方法で固定された円筒状の壁部３０と、底板１４と、上蓋１６とで構成されたものであり、底板１４及び上蓋１６は、いずれも、空気の流通路１８としての開口付き円形板により構成されている。そして、充填ケースの底板１４と上蓋１６とは、充填ケース２０の壁部３０に対し着脱自在に構成されている。底板１４及び上蓋１６は樹脂製でも良いが、特に上蓋１６は、気泡の微細化手段１２の浮上防止対策であることに加え、積層された気泡の微細化手段１２の長期の揺動による膨らみを押さえるための機能を有するだけの質量を有していることが好ましい。この観点から、少なくとも上蓋１６は、鋼製２ｍｍ〜５ｍｍ程度の厚み（質量）のある、ステンレス等の鋼製であることが望ましい。なお、図１には、底板１４の空気の流通路が図示されていないが、底板１４の形状は上蓋１６と同様である。
【００３４】
更に、底板１４には吊ワイヤー３２が固定され、かつ、上蓋１６に吊ワイヤー３２が挿通ないし固定され、吊ワイヤー３２の上端部に留め環３４が固定されて、この留め環３４が、ばっ気水槽４０の液面上の壁３６に固定されたフック３８に留められている。よって、気泡の微細化手段１２は底板１４と上蓋１６とに挟持された状態で、吊ワイヤー３２により吊下げられ、充填ケース２０内に位置決めされる。そして、積層された気泡の微細化手段１２が目詰まりしたような場合には、吊ワイヤー３２を用いて、底板１４及び上蓋１６と共に気泡の微細化手段１２を水面上に引き上げ、気中で洗浄後に元の位置に再装填できる構成となっている。なお、充填ケース２０の壁部３０に、少なくとも底板１４の下降限度位置を定めるブラケットを設け、常時吊ワイヤー３２に気泡の微細化手段１２、底板１４及び上蓋１６の荷重が加わらないようにしても良い。
【００３５】
図４には、図１に示される散気装置１０の具体的寸法が例示されている。この散気装置１０は比較的小型に構成されたもので、特に試験装置に適するように構成されている。ばっ気水槽４０は、内径２００ｍｍ、高さ２１００ｍｍの透明円筒形をなしている。又、充填ケース２０は、同じく円筒形で内径１００ｍｍ、高さ１６００ｍｍの透明円筒形をなしている。そして、充填ケース２０は、有効水深１８００ｍｍの中間に位置し、上下とも循環流のために高さ方向で１００ｍｍの空隙距離を設けている。充填ケース２０には、気泡の微細化手段１２を５００ｍｍの高さまで充填している。
ばっ気水槽４０の底面と充填ケース２０との間には、１００ｍｍの高さの空間部を設け、この空間部に向けて、空気供給手段２２の配管噴出部分４４（図１）が開口するように設置される。空気供給手段２２を構成するブロワ４２から供給される空気は、内径２０ｍｍの配管で充填ケース２０の下部から噴出するようになっており、その先端部は加工なく配管が切断された状態、すなわち、配管噴出部分４４（図１）の口径は、配管の内径と同じく２０ｍｍとなっている。
【００３６】
配管噴出部分４４から噴出された気泡は、充填ケース２０内の高さ５００ｍｍに充填された気泡の微細化手段１２を通じて充填ケース２０上部の液面ＷＬに達する。この気泡の上昇力で充填ケース２０内の水が上向流となり、水面ＷＬ直下では矢印Ｓで示される旋回流を生じ、これが循環流となって再び下部の内筒内へ吸い込まれることになる。
空気供給手段２２の空気噴出部４４から噴出される気泡径は１０〜２０ｍｍ程度であるが、充填ケース２０の気泡の微細化手段１２の充填層を気泡が通過する間に、環状枝部１２４で気泡が分割すなわち切断されるため、気泡の微細化手段１２の充填層を通り抜けた気泡の径は、大小交えた状態でかつ大きな気泡径で約５ｍｍに微細化される。又、幹部１２２により気泡の垂直上昇を妨げることとなり、気泡の微細化手段１２の充填層を気泡が通過している間に幹部１２２にぶつかった気泡が横にズレて、気泡が蛇行する状態が目視できる。気泡が横にズレることにより水中の気泡保持時間が長くなり酸素溶解効率向上に貢献することとなる。
【００３７】
図５には、本発明の実施の形態に係る散気装置１０を備える角型のばっ気水槽４６が例示されている。図５の説明に際し、図１〜図４の例と同一部分、若しくは相当する部分については、同一符号で示している。又、一部図示を省略した部分については、適宜、図１〜図４を参照されたい。
さて、図５の例は、実用化に適したものであり、充填ケース２０は樹脂製又は鋼製であり、無底無蓋の四角い箱状の壁部３０と、この壁部３０内に嵌入可能な四角い底板１４（図示省略）及び上蓋１６とからなるものである。又、底板１４及び上蓋１６には、流通路１８としての開口が各々形成さている。
【００３８】
壁部３０の、短手方向の幅は５０ｍｍ〜２００ｍｍを標準としている。一方、壁部３０の長手方向の寸法は、ばっ気水槽４６の寸法に合せて、必要な空気供給能力を発揮する値に設定される。そして、気泡の微細化手段１２は、充填ケース２０の長手方向を往復するようにして多段に積層される態様で、その内部に充填される。壁部３０の鉛直方向の高さは、気泡の微細化手段１２の充填高さ５００ｍｍに底板１４及び上蓋１６の厚みを加えた高さ合計よりも、１００ｍｍ〜３００ｍｍ 高い構造にしている。この時、壁部３０の上端と上蓋１６とは最低５０ｍｍの鉛直距離を設けることが必要である。これは空気による揺動で上蓋１６が壁部３０からはみ出し、脱落することを防ぐためである。又、壁部３０の下端と底板１４との間も同様に最低５０ｍｍ（図４参照）の鉛直距離を設けることが必要である。これは供給された空気が壁部３０の外に漏れ出すことを防ぐためである。
【００３９】
更に、ばっ気水槽４６には、気泡の微細化手段１２が底板１４と上蓋１６とに挟持された状態で、これらを吊ワイヤー３２によって一体に昇降させるための、上下方向に延びるガイドレール４８が設けられている。ガイドレール４８は、調達の容易さと耐食性とを考慮して、ステンレス製等の汎用チャンネル材を用いることが好ましいが、必要な耐久性が確保できるものであれば、その他の金属や樹脂製のチャンネル材、若しくは、専用の断面コ字状部材を用いることとしても良い。壁部３０はこのガイドレール４８に設けられたストッパー（図示省略）で下部固定され、ばっ気水槽の底面に対して高さ５０ｍｍ〜１００ｍｍの空間を開けて保持されている。
ガイドレール４８の上部先端は、作業性を考慮し、吊ワイヤー３２を掛け置くためのフック３８が、ばっ気水槽４６の壁面の、液面より高い位置に設けられている。ばっ気水槽４６の上面にカバーを設ける場合は、吊ワイヤー３２による気泡の微細化手段１２、底板１４及び上蓋１６の出し入れを考慮し、開閉可能な蓋を適宜設けることとする。
【００４０】
又、本例の空気供給手段２２は、図６に示される空気配管５２を備えている。空気配管５２は、ばっ気水槽４６の底面５０と充填ケース２０との間に設けられた空間部に向けて開口するものである。そして、ばっ気水槽４６の液面上方から底面５０に沿って延びる主配管（ヘッダー配管）５４と、主配管５４から複数点で分岐する分岐配管５６とを含み、分岐配管５６の先端が、配管噴出部分４４として開口している。本例においても、配管噴出部分４４（図１）の口径は、分岐配管５６の内径と同じくなっている。なお、主配管５４の先端部はキャップ５８によって塞がれている。又、空気配管５２はブロワ４２（図４参照）に接続されている。
【００４１】
なお、分岐配管５６先端の配管噴出部分４４は、充填ケース２０の壁部３０の１面と鉛直位置がほぼ一致するように設置するのが良い。これは配管噴出部分４４から噴出する空気が、噴出した際の勢いで横走りすることを考慮し、充填ケース２０の中央付近で空気泡が鉛直方向に上昇していくように配慮したものである。
【００４２】
又、分岐配管５６の空気噴出部分４４が主配管５４に単に開口穴を並べる構造でなく、分岐配管５６の先端部としている理由は、次の通りである。これとは別の形態として、例えば、主配管５４に、直接的に開口穴を小さく形成して発生気泡を小さくする手法を採用した場合は、開口穴が目詰まりし易く、且つ圧力損失が伴いブロワの吐出圧の上昇を招くことから、これを避ける意図である。一方、主配管５４に直接的に開口穴を大きく形成する手法を採用した場合は、供給空気の上流側開口穴からの空気の出方が多く、主配管５４の先端部のキャップ５６側からの空気の出方が少ない状態となり、充填ケース２０へと供給される空気量の不均一性が生じることとなるため、これを防ぐ意図である。
【００４３】
なお、ガイドレール４８間の距離が長くなり、気泡の微細化手段１２、底板１４及び上蓋１６の質量が重く、吊ワイヤー３２による吊り上げ又は吊り下げが困難な場合は、ガイドレール４８の間に、ガイドレール４８と内幅、長さが等しいＨ型鋼等を、中間ガイドレールとして配する。そして、充填ケース２０及び気泡の微細化手段１２を、これらのガイドレールの間に、２分割や３分割にして配置することで、気泡の微細化手段１２、底板１４及び上蓋１６の質量を軽くしても良い。
更には、散気装置１０の配置を、図６に示されるように、ばっ気水槽４６の長手方向の中央一か所として、相対方向の旋回流を生じさせるケースのみでなく、適宜、ばっ気水槽４６の長手方向の複数箇所に複数の散気装置を配することや、設置方向を変えて複数設置する等、様々な配置が可能である。
【００４４】
上記構成をなす、本発明の実施の形態によれば、次のような作用効果を得ることが可能である。
本発明の実施の形態に係る散気装置１０は、ばっ気水槽４０、４６に溜められた液中に、空気供給手段２２から空気Ａｉｒが供給されると、その空気が気泡となって、充填ケース２０の底板１４の、気泡の流通路１８を介して充填ケース２０内へと進入する。そして、充填ケース２０に充填された気泡の微細化手段１２を構成する、幹部１２２から環状枝部１２４が分岐した樹状構造を有する紐状体によって、気泡の更なる浮上が妨害される。しかも、幹部１２２が環状枝部１２４よりも大径をなしており、大径をなす幹部１２２によって、気泡の浮上阻害手段が構成され、充填ケース２０内での気泡の浮上を妨げて充填ケース２０内の滞留時間を延ばすこととなる。又、小径をなす環状枝部１２４によって、気泡の微細化手段が構成され、充填ケース２０内での気泡の浮上に伴い気泡を分断することが可能となる。
【００４５】
又、本発明の実施の形態に係る散気装置１０は、充填ケース２０に充填された気泡の微細化手段を構成する紐状体の、幹部１２２と、幹部１２２よりも細径に構成され幹部１２２から分岐する複数の環状枝部１２４とによって、気泡の更なる浮上が妨害される。特に、充填ケース２０の上下方向と交差する方向に向けて充填された幹部１２２によって、気泡の浮上が妨げられることで、気泡は、幹部１２２を避けるように蛇行する浮上経路を辿り、充填ケース２０内の滞留時間が長くなることとなる。この際、環状枝部１２４によっても気泡の浮上が妨げられるが、環状枝部１２４が幹部１２２よりも細径に構成されているが故に、環状枝部１２４の直径と同等かそれ以上の大きさの気泡は、環状枝部１２４により分断されて微細化されることとなる。しかも、幹部１２２に対して環状枝部１２４が環状に分岐し、突出していることにより、気泡が浮上する際に、環状に連続する環状枝部１２４のいずれかの部位で、気泡は上述の分断作用を受け、気泡の微細化が促進されるものである。
【００４６】
なお、環状枝部１２４Ａが、ポリプロピレン等の水よりも比重の軽い材料により構成されている場合には、幹部１２２から分岐した環状枝部１２４が上方に浮上する姿勢となり、浮上する気泡を、環状に連続する環状枝部１２４のいずれかの部位で捕らえ易くなり、気泡の分断を促進するものとなる。
又、本発明の実施の形態に係る散気装置１０は、環状枝部１２４が、複数のフィラメント糸同士が結束し、かつ、かさ高加工されていることにより、環状枝部１２４の各部において、気泡の浮上経路の蛇行作用と、環状枝部による気泡の分断作用が得られるものとなる。
【００４７】
又、本発明の実施の形態に係る散気装置１０は、気泡の微細化手段１２の組紐構造を有しており、幹部１２２によって、気泡の浮上経路の蛇行作用が得られるものである。又、組紐構造を構成する右回り、左回りの糸のうちいずれか一方の糸によって構成された環状枝部１２４によって、気泡の分断作用が得られるものとなる。又、気泡の微細化手段１２は、幹部１２２と環状枝部１２４とが、組紐構造を構成する際に、一連の工程で一体的に構成されるものであるから、幹部から枝部が分岐した樹状構造を、連続的に生産する事が容易となる。
【００４８】
又、本発明の実施の形態に係る散気装置１０は、組紐構造を構成する糸には太さの異なる少なくとも二種類の糸が用いられることで、単位長さあたりのかさ密度の最適化が図られるものである。すなわち、組紐構造を構成する糸に太い糸と細い糸とが混合して用いられることで、細い糸によるかさ密度を下げることが可能となり、太い糸と細い糸との割合によって、かさ密度の調整を行うものである。又、環状枝部１２４は、組紐構造を構成する右回り、左回りの糸のうちいずれか一方の糸によって構成されていることから、環状枝部１２４Ａ、１２４Ｂの各々は、太さの異なる糸のうちの一種類の太さの糸によって構成され、環状枝部１２４Ａ、１２４Ｂの各々の太さに応じた、気泡の浮上経路の蛇行促進機能と、微細化促進機能とを発揮するものとなる。即ち、太い環状枝部１２４Ａでは、気泡の浮上経路の蛇行促進機能が高まり、細い環状枝部１２４Ｂでは、気泡の微細化促進機能が高まるものとなる。
【００４９】
又、本発明の実施の形態に係る散気装置１０は、環状枝部１２４が、幹部１２２の延長方向と交差する方向に対を成して突出することで、各環状枝部１２４による、気泡の浮上経路の蛇行促進機能と、微細化促進機能とを発揮するものとなる。
更に、幹部１２２が捩れて、複数の環状枝部１２４が、幹部１２２の延長方向に沿ってらせん状に並ぶように構成されていることで、幹部１２２を中心に様々な方向に分岐する環状枝部１２４により、浮上しようとする気泡を捉え、気泡の浮上経路の蛇行促進機能と、微細化促進機能とを発揮するものとなる。
【００５０】
又、本発明の実施の形態に係る散気装置１０は、充填ケース２０内で気泡の微細化手段１２が所定のかさ密度（例えば１０ｋｇ／ｍ３〜２０ｋｇ／ｍ３）を有していることにより、充填ケース２０の底板１４の気泡の流通路１８を介して充填ケース２０内へと進入する気泡は、気泡の微細化手段１２によって更なる浮上が妨害される。そして、幹部１２２を避けるように蛇行する気泡の浮上経路の蛇行促進と、環状枝部１２４による微細化促進とが適切になされ、水中への酸素溶解効率を高めることが可能となる。
【００５１】
又、本発明の実施の形態に係る散気装置１０は、気泡の微細化手段１２の幹部１２２が、充填ケースの内部において、渦巻状に外から中心へ、及び／又は、中心から渦巻状に外へと配置されることを繰り返すようにして、積層されていることで、充填ケース２０の室内が気泡の微細化手段によって満たされる。そして、底板１４と上蓋１６との間の全体で、幹部１２２による気泡の浮上経路の蛇行作用と、環状枝部１２４による気泡の分断作用が得られるものとなる。
【００５２】
又、充填ケース２０における気泡の微細化手段１２の充填高さとして、５００ｍｍが確保されることで、充填ケース２０の底板１４の気泡の流通路１８を介して充填ケース２０内へと進入する気泡が、気泡の微細化手段１２によって更なる浮上が妨害され、幹部１２２を避けるように蛇行する気泡の浮上経路の蛇行促進と、環状枝部１２４による微細化促進とが十分になされ、水中への酸素溶解効率を高めるものとなる。
【実施例】
【００５３】
図７の図表には、図４に示された、ばっ気水槽４０において、操作条件を、ばっ気水槽有効容量６０Ｌ 、気泡の微細化手段１２の充填高さ０ｍｍ〜７５０ｍｍ、幹部１２２の直径８ｍｍ、環状枝部１２４Ａの直径１００ｍｍ、環状枝部１２４Ｂの直径１００ｍｍ、とした場合の、供給空気量１０Ｌ/分での総括酸素移動容量係数（２０℃換算） ＫＬａ２０と酸素溶解効率（２０℃、４ｍ 水深換算）を求めた結果が、まとめられている。
なお、ＫＬａ２０測定に際しては一般細菌等の影響による測定誤差が生じないように、測定前に図４の装置内部を濃度１００ｍｇ／Ｌの次亜塩素酸ソーダで殺菌処理した後に水洗浄を行った。
【００５４】
図７の図表に示されるように、酸素溶解効率の測定結果は、気泡の微細化手段１２の充填高さ０ｍｍ、即ち、気泡の微細化手段１２がない状態の酸素溶解効率５．４％ に対し、気泡の微細化手段１２の充填高さ５００ｍｍで、酸素溶解効率は１９．０％になっており、酸素溶解効率に３倍以上の差異がある。
【００５５】
この結果は、単に配管噴出部分４４から空気を噴出する場合（気泡の微細化手段１２無し）に比して、気泡の微細化手段１２を通過させることでブロワ４２の仕様、大きさが約３分の１になることを意味している。さらに、従来型の微細孔を有する散気装置では圧力損失が大きくその圧力損失に見合ったブロワの加圧が必要であるのに対し、本発明では散気装置１０の圧力損失はゼロで、散気装置１０の見合い分の加圧は不要、すなわち水深見合い分以外は無圧で良いことが大きな特徴になっている。
【００５６】
又、気泡の微細化手段１２の充填高さが５００ｍｍ未満では、酸素溶解効率は低く、充填高さが５００ｍｍを超えても酸素溶解効率はわずかに増加するだけである。すなわち、実施設計にあたっては、ばっ気水槽４０の容量が大きくなっても、気泡の微細化手段１２の充填高さは約５００ｍｍ程度であれば良い。この時の気泡の微細化手段１２の充填かさ密度は約１３ｋｇ／ｍ３である。
【符号の説明】
【００５７】
１０：散気装置、１２：気泡の微細化手段、１２２：幹部、１２４：環状枝部、１４：底板、１６：上蓋、１８：流通路、２０：充填ケース
【図２】
2015112581.tif 000003
【図３】
2015112581.tif 000004
【図４】
2015112581.tif 000005
【図７】
2015112581.tif 000006
【図１】
2015112581.tif 000007
【図５】
2015112581.tif 000008
【図６】
2015112581.tif 000009
【手続補正書】
【提出日】平成27年3月4日(2015.3.4)
【手続補正１】
【補正対象書類名】特許請求の範囲
【補正対象項目名】請求項６
【補正方法】変更
【補正の内容】
【請求項６】
前記環状枝部は、前記幹部の延長方向と交差する方向に対を成して突出していることを特徴とする請求項２から５のいずれか１項記載の散気装置。
【手続補正２】
【補正対象書類名】特許請求の範囲
【補正対象項目名】請求項７
【補正方法】変更
【補正の内容】
【請求項７】
前記幹部が捩れて、前記環状枝部が、前記幹部の延長方向に沿って、らせん状に並ぶように構成されていることを特徴とする請求項２から６のいずれか１項記載の散気装置。
【手続補正３】
【補正対象書類名】特許請求の範囲
【補正対象項目名】請求項１５
【補正方法】変更
【補正の内容】
【請求項１５】
前記環状枝部を、前記幹部の延長方向と交差する方向に対を成すように突出させることを特徴とする請求項１１から１４のいずれか１項記載の散気方法。
【手続補正４】
【補正対象書類名】特許請求の範囲
【補正対象項目名】請求項１６
【補正方法】変更
【補正の内容】
【請求項１６】
前記幹部を捩り、前記環状枝部が、前記幹部の延長方向に沿って、らせん状に並ぶように構成することを特徴とする請求項１１から１５のいずれか１項記載の散気方法。
【手続補正５】
【補正対象書類名】明細書
【補正対象項目名】００１３
【補正方法】変更
【補正の内容】
【００１３】
（６）上記（２）から（５）項において、前記環状枝部は、前記幹部の延長方向と交差する方向に対を成して突出している散気装置（請求項６）。
本項に記載の散気装置は、環状枝部が、幹部の延長方向と交差する方向に対を成して突出することで、環状枝部の各々による、気泡の浮上経路の蛇行促進機能と、微細化促進機能とを発揮するものとなる。
（７）上記（２）から（６）項において、前記幹部が捩れて、前記複数の環状枝部が、前記幹部の延長方向に沿って、らせん状に並ぶように構成されている散気装置（請求項７）。
本項に記載の散気装置は、幹部が捩れて、複数の環状枝部が、幹部の延長方向に沿ってらせん状に並ぶように構成されていることで、幹部を中心に様々な方向に分岐する環状枝部により、浮上しようとする気泡を捉え、気泡の浮上経路の蛇行促進機能と、微細化促進機能とを発揮するものとなる。
【手続補正６】
【補正対象書類名】明細書
【補正対象項目名】００２３
【補正方法】変更
【補正の内容】
【００２３】
（１９）上記（１７）（１８）項において、前記気泡の微細化手段の幹部を組紐構造とし、前記環状枝部を、前記組紐構造を構成する右回り、左回りの糸のうちいずれか一方の糸によって構成する散気方法（請求項１３）。
（２０）上記（１９）項において、前記組紐構造を構成する糸には太さの異なる少なくとも二種類の糸を用い、前記環状枝部の各々を、前記太さの異なる糸のうちの一種類の太さの糸によって構成する散気方法（請求項１４）。
（２１）上記（１７）から（２０）項において、前記環状枝部を、前記幹部の延長方向と交差する方向に対を成すように突出させる散気方法（請求項１５）。
（２２）上記（１７）から（２１）項において、前記幹部を捩り、前記複数の環状枝部が、前記幹部の延長方向に沿って、らせん状に並ぶように構成することを特徴とする請求項１０から１５のいずれか１項記載の散気方法（請求項１６）。